【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、
前記遊技用装置から出力される遊技情報を収集して集計し、該集計した遊技情報を前記遊技用装置で遊技する遊技者に対する参考情報として表示出力する情報開示用設備と、
を備えた遊技管理システムにおいて、
前記遊技用装置から出力される遊技情報を収集して、当該収集した遊技情報に基づく情報を前記情報管理用設備及び前記情報開示用設備へ送信する情報伝達装置を備え、
前記遊技用装置は、遊技者に付与される特典が大きい特別遊技状態と当該特別遊技状態よりも遊技者に付与される特典が小さい特別遊技状態とを少なくとも発生可能であるとともに、当該特別遊技状態が発生したことを示す特別遊技状態発生信号を前記遊技情報として前記情報伝達装置に出力するよう構成され、
前記情報開示用設備は、前記遊技用装置で発生した特別遊技状態の発生回数を前記参考情報として表示出力し、
前記情報伝達装置は、
前記情報管理用設備に情報を出力する第１出力手段と、
前記情報開示用設備に情報を出力する第２出力手段と、
前記遊技用装置から前記特別遊技状態発生信号を受信したことに基づいて、当該遊技用装置の特別遊技状態の発生回数を１回分更新させる情報を、前記第１出力手段によって出力する情報中継手段と、
前記遊技用装置から前記特別遊技状態発生信号を受信したことに基づいて、当該遊技装置で発生した特別遊技状態が遊技者に付与される特典が大きい特別遊技状態か付与される特典が小さい特別遊技状態であるかを判定する判定手段と、
前記判定手段による判定結果に基づいて、前記情報開示用設備において表示出力される前記遊技用装置の特別遊技状態の発生回数を更新させる情報を、前記第２出力手段によって出力する情報変換手段と、を備え、
前記情報変換手段は、
前記判定手段によって前記遊技用装置で発生した特別遊技状態が遊技者に付与される特典が大きい特別遊技状態であると判定された場合には、当該遊技用装置の特別遊技状態の発生回数を１回分更新させる情報を出力する一方、
前記判定手段によって前記遊技用装置で発生した特別遊技状態が遊技者に付与される特典が小さい特別遊技状態であると判定された場合には、当該遊技用装置の特別遊技状態の発生回数を更新させる情報を出力しない、又は、当該遊技用装置の特別遊技状態の発生回数を０回分更新させる情報を出力することを特徴とする遊技管理システム。
【請求項２】
所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、
前記遊技用装置から出力される遊技情報を収集して集計し、該集計した遊技情報を前記遊技用装置で遊技する遊技者に対する参考情報として表示出力する情報開示用設備と、
を備えた遊技管理システムにおいて、
前記遊技用装置は、遊技者に付与される特典が大きい特別遊技状態と当該特別遊技状態よりも遊技者に付与される特典が小さい特別遊技状態とを少なくとも発生可能であるとともに、当該特別遊技状態が発生したことを示す特別遊技状態発生信号を前記遊技情報として前記情報開示用設備に出力するよう構成され、
前記情報開示用設備は、
前記情報管理用設備に情報を出力する中継出力手段と、
前記遊技用装置から出力される特別遊技状態発生信号を受信したことに基づいて、当該遊技用装置の特別遊技状態の発生回数を１回分更新させる情報を、前記中継出力手段によって出力する情報中継手段と、
前記遊技用装置から前記特別遊技状態発生信号を受信したことに基づいて、当該遊技用装置で発生した特別遊技状態が遊技者に付与される特典が大きい特別遊技状態か付与される特典が小さい特別遊技状態であるかを判定する判定手段と、
前記判定手段による判定結果に基づいて、前記参考情報として表示出力されている前記遊技用装置の特別遊技状態の発生回数を更新させる情報変換表示出力手段と、を備え、
前記情報変換表示出力手段は、
前記判定手段によって前記遊技用装置で発生した特別遊技状態が遊技者に付与される特典が大きい特別遊技状態であると判定された場合には、当該遊技用装置の特別遊技状態の発生回数を１回分更新させる一方、
前記判定手段によって前記遊技用装置で発生した特別遊技状態が遊技者に付与される特典が小さい特別遊技状態であると判定された場合には、当該遊技用装置の特別遊技状態の発生回数を更新させないことを特徴とする遊技管理システム。
【請求項３】
所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、
前記遊技用装置から出力される遊技情報を収集して集計し、該集計した遊技情報を前記遊技用装置で遊技する遊技者に対する参考情報として表示出力する情報開示用設備と、
を備えた遊技管理システムにおいて、
前記情報開示用設備から出力される情報を受信し、受信した情報に対応する情報を前記情報管理用設備へ伝達する情報伝達装置を備え、
前記遊技用装置は、遊技者に付与される特典が大きい特別遊技状態と当該特別遊技状態よりも遊技者に付与される特典が小さい特別遊技状態とを少なくとも発生可能であるとともに、当該特別遊技状態が発生したことを示す特別遊技状態発生信号を前記遊技情報として前記情報伝達装置に出力するよう構成され、
前記情報開示用設備は、
前記情報伝達装置に情報を出力する中継出力手段と、
前記遊技用装置から出力される特別遊技状態発生信号を受信したことに基づいて、当該遊技用装置の特別遊技状態の発生回数を１回分更新させる情報を、前記中継出力手段によって出力する情報中継手段と、
前記遊技用装置から前記特別遊技状態発生信号を受信したことに基づいて、当該遊技装置で発生した特別遊技状態が遊技者に付与される特典が大きい特別遊技状態か付与される特典が小さい特別遊技状態であるかを判定する判定手段と、
前記判定手段による判定結果に基づいて、前記参考情報として表示出力されている前記遊技用装置の特別遊技状態の発生回数を更新させる情報変換表示出力手段と、を備え、
前記情報変換表示出力手段は、
前記判定手段によって前記遊技用装置で発生した特別遊技状態が遊技者に付与される特典が大きい特別遊技状態であると判定された場合には、当該遊技用装置の特別遊技状態の発生回数を１回分更新させる一方、
前記判定手段によって前記遊技用装置で発生した特別遊技状態が遊技者に付与される特典が小さい特別遊技状態であると判定された場合には、当該遊技用装置の特別遊技状態の発生回数を更新させないことを特徴とする遊技管理システム。
【請求項４】
前記遊技用装置は、遊技者が遊技に使用した遊技媒体の数を示す回収信号と遊技者が遊技を通じて獲得した遊技媒体の数を示す賞球信号とを、前記遊技情報として出力するよう構成されてなり、
前記判定手段は、前記遊技用装置から出力される回収信号、賞球信号及び特別遊技状態発生信号に基づいて特別遊技状態中の差球数を計数し、当該差球数に基づいて特別遊技状態の種類を判定することを特徴とする請求項１から３のいずれか一つに記載の遊技管理システム。
【請求項５】
前記遊技用装置は、前記特別遊技状態の種類を判定可能なようにパルス信号からなる前記特別遊技状態発生信号を、前記遊技情報として出力するよう構成されてなり、
前記判定手段は、前記遊技用装置から出力される特別遊技状態発生信号に基づいて、特別遊技状態の種類を判定することを特徴とする請求項１から３のいずれか一つに記載の遊技管理システム。
【請求項６】
前記遊技用装置は、前記特別遊技状態の発生期間だけ前記特別遊技状態発生信号を前記情報伝達装置へ出力するよう構成されてなり、
前記判定手段は、前記遊技用装置から出力される特別遊技状態発生信号に基づいて特別遊技状態の発生期間を計時するとともに、当該計時の結果に基づいて特別遊技状態の種類を判定することを特徴とする請求項５に記載の遊技管理システム。
【請求項７】
所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、
前記遊技用装置から出力される遊技情報を収集して集計し、該集計した遊技情報を前記遊技用装置で遊技する遊技者に対する参考情報として表示出力する情報開示用設備と、
を備えた遊技管理システムにおいて、
前記遊技用装置から出力される遊技情報を収集して、当該収集した遊技情報に基づく情報を前記情報管理用設備及び前記情報開示用設備へ送信する情報伝達装置を備え、
前記遊技用装置は、遊技者が獲得する特典の大きさが異なる複数の段階に分類された特別遊技状態を発生可能であるとともに、当該特別遊技状態が発生したことを示す特別遊技状態発生信号を前記遊技情報として前記情報伝達装置に出力するよう構成され、
前記情報開示用設備は、前記遊技用装置で発生した複数の段階に分類された特別遊技状態の発生回数を前記参考情報として表示出力し、
前記情報伝達装置は、
前記情報管理用設備に情報を出力する第１出力手段と、
前記情報開示用設備に情報を出力する第２出力手段と、
前記遊技用装置から前記特別遊技状態発生信号を受信したことに基づいて、当該遊技用装置の特別遊技状態の発生回数を１回分更新させる情報を、前記第１出力手段によって出力する情報中継手段と、
前記遊技用装置から前記特別遊技状態発生信号を受信したことに基づいて、当該遊技装置で発生した特別遊技状態がいずれの段階に属する特別遊技状態であるかを判定する判定手段と、
前記判定手段による判定結果に基づいて、前記情報開示用設備において表示出力される前記遊技用装置の特別遊技状態の発生回数を更新させる情報を、前記第２出力手段によって出力する情報変換手段と、を備え、
前記情報変換手段は、
前記判定手段によって前記特別遊技状態が属すると判定された段階の特別遊技状態の発生回数を１回分更新させるとともに、前記特別遊技状態が属すると判定された段階以外の段階に対応する特別遊技状態の発生回数を０回分更新させる情報を出力することを特徴とする遊技管理システム。
【請求項８】
所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、
前記遊技用装置から出力される遊技情報を収集して集計し、該集計した遊技情報を前記遊技用装置で遊技する遊技者に対する参考情報として表示出力する情報開示用設備と、
を備えた遊技管理システムにおいて、
前記遊技用装置から出力される遊技情報を収集して、当該収集した遊技情報に基づく情報を前記情報管理用設備及び前記情報開示用設備へ送信する情報伝達装置を備え、
前記遊技用装置は、前記補助遊技が１回実行されたことを示す補助遊技実行信号を前記遊技情報として前記情報伝達装置に出力し、
前記情報開示用設備は、前記遊技用装置で実行された補助遊技の実行回数を前記参考情報として表示出力し、
前記情報伝達装置は、
前記情報管理用設備に情報を出力する第１出力手段と、
前記情報開示用設備に情報を出力する第２出力手段と、
前記遊技用装置から前記補助遊技実行信号を受け入れると、当該遊技用装置の補助遊技の実行回数を１回分更新させる情報を、前記第１出力手段によって出力する情報中継手段と、
前記補助遊技実行信号と遊技者が認識する補助遊技の実行回数との対応関係を記憶する対応関係記憶手段と、
前記遊技用装置から前記補助遊技実行信号を受け入れると、前記対応関係に基づいて前記情報開示用設備において表示出力される補助遊技の実行回数を遊技者が認識する補助遊技の実行回数分更新させる情報を、前記第２出力手段によって出力する情報変換手段と、を備えることを特徴とする遊技管理システム。
【手続補正２】
【補正対象書類名】明細書
【補正対象項目名】００１０
【補正方法】変更
【補正の内容】
【００１０】
第１の発明は、所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、前記遊技用装置から出力される遊技情報を収集して集計し、該集計した遊技情報を前記遊技用装置で遊技する遊技者に対する参考情報として表示出力する情報開示用設備と、を備えた遊技管理システムにおいて、前記遊技用装置から出力される遊技情報を収集して、当該収集した遊技情報に基づく情報を前記情報管理用設備及び前記情報開示用設備へ送信する情報伝達装置を備え、前記遊技用装置は、遊技者に付与される特典が大きい特別遊技状態と当該特別遊技状態よりも遊技者に付与される特典が小さい特別遊技状態とを少なくとも発生可能であるとともに、当該特別遊技状態が発生したことを示す特別遊技状態発生信号を前記遊技情報として前記情報伝達装置に出力するよう構成され、前記情報開示用設備は、前記遊技用装置で発生した特別遊技状態の発生回数を前記参考情報として表示出力し、前記情報伝達装置は、前記情報管理用設備に情報を出力する第１出力手段と、前記情報開示用設備に情報を出力する第２出力手段と、前記遊技用装置から前記特別遊技状態発生信号を受信したことに基づいて、当該遊技用装置の特別遊技状態の発生回数を１回分更新させる情報を、前記第１出力手段によって出力する情報中継手段と、前記遊技用装置から前記特別遊技状態発生信号を受信したことに基づいて、当該遊技装置で発生した特別遊技状態が遊技者に付与される特典が大きい特別遊技状態か付与される特典が小さい特別遊技状態であるかを判定する判定手段と、前記判定手段による判定結果に基づいて、前記情報開示用設備において表示出力される前記遊技用装置の特別遊技状態の発生回数を更新させる情報を、前記第２出力手段によって出力する情報変換手段と、を備え、前記情報変換手段は、前記判定手段によって前記遊技用装置で発生した特別遊技状態が遊技者に付与される特典が大きい特別遊技状態であると判定された場合には、当該遊技用装置の特別遊技状態の発生回数を１回分更新させる情報を出力する一方、前記判定手段によって前記遊技用装置で発生した特別遊技状態が遊技者に付与される特典が小さい特別遊技状態であると判定された場合には、当該遊技用装置の特別遊技状態の発生回数を更新させる情報を出力しない、又は、当該遊技用装置の特別遊技状態の発生回数を０回分更新させる情報を出力することを特徴とする。
【手続補正３】
【補正対象書類名】明細書
【補正対象項目名】００１１
【補正方法】変更
【補正の内容】
【００１１】
第２の発明は、所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、前記遊技用装置から出力される遊技情報を収集して集計し、該集計した遊技情報を前記遊技用装置で遊技する遊技者に対する参考情報として表示出力する情報開示用設備と、を備えた遊技管理システムにおいて、前記遊技用装置は、遊技者に付与される特典が大きい特別遊技状態と当該特別遊技状態よりも遊技者に付与される特典が小さい特別遊技状態とを少なくとも発生可能であるとともに、当該特別遊技状態が発生したことを示す特別遊技状態発生信号を前記遊技情報として前記情報開示用設備に出力するよう構成され、前記情報開示用設備は、前記情報管理用設備に情報を出力する中継出力手段と、前記遊技用装置から出力される特別遊技状態発生信号を受信したことに基づいて、当該遊技用装置の特別遊技状態の発生回数を１回分更新させる情報を、前記中継出力手段によって出力する情報中継手段と、前記遊技用装置から前記特別遊技状態発生信号を受信したことに基づいて、当該遊技用装置で発生した特別遊技状態が遊技者に付与される特典が大きい特別遊技状態か付与される特典が小さい特別遊技状態であるかを判定する判定手段と、前記判定手段による判定結果に基づいて、前記参考情報として表示出力されている前記遊技用装置の特別遊技状態の発生回数を更新させる情報変換表示出力手段と、を備え、前記情報変換表示出力手段は、前記判定手段によって前記遊技用装置で発生した特別遊技状態が遊技者に付与される特典が大きい特別遊技状態であると判定された場合には、当該遊技用装置の特別遊技状態の発生回数を１回分更新させる一方、前記判定手段によって前記遊技用装置で発生した特別遊技状態が遊技者に付与される特典が小さい特別遊技状態であると判定された場合には、当該遊技用装置の特別遊技状態の発生回数を更新させないことを特徴とする。
【手続補正４】
【補正対象書類名】明細書
【補正対象項目名】００１２
【補正方法】変更
【補正の内容】
【００１２】
第３の発明は、所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、前記遊技用装置から出力される遊技情報を収集して集計し、該集計した遊技情報を前記遊技用装置で遊技する遊技者に対する参考情報として表示出力する情報開示用設備と、を備えた遊技管理システムにおいて、前記情報開示用設備から出力される情報を受信し、受信した情報に対応する情報を前記情報管理用設備へ伝達する情報伝達装置を備え、前記遊技用装置は、遊技者に付与される特典が大きい特別遊技状態と当該特別遊技状態よりも遊技者に付与される特典が小さい特別遊技状態とを少なくとも発生可能であるとともに、当該特別遊技状態が発生したことを示す特別遊技状態発生信号を前記遊技情報として前記情報伝達装置に出力するよう構成され、前記情報開示用設備は、前記情報伝達装置に情報を出力する中継出力手段と、前記遊技用装置から出力される特別遊技状態発生信号を受信したことに基づいて、当該遊技用装置の特別遊技状態の発生回数を１回分更新させる情報を、前記中継出力手段によって出力する情報中継手段と、前記遊技用装置から前記特別遊技状態発生信号を受信したことに基づいて、当該遊技装置で発生した特別遊技状態が遊技者に付与される特典が大きい特別遊技状態か付与される特典が小さい特別遊技状態であるかを判定する判定手段と、前記判定手段による判定結果に基づいて、前記参考情報として表示出力されている前記遊技用装置の特別遊技状態の発生回数を更新させる情報変換表示出力手段と、を備え、前記情報変換表示出力手段は、前記判定手段によって前記遊技用装置で発生した特別遊技状態が遊技者に付与される特典が大きい特別遊技状態であると判定された場合には、当該遊技用装置の特別遊技状態の発生回数を１回分更新させる一方、前記判定手段によって前記遊技用装置で発生した特別遊技状態が遊技者に付与される特典が小さい特別遊技状態であると判定された場合には、当該遊技用装置の特別遊技状態の発生回数を更新させないことを特徴とする。
【手続補正５】
【補正対象書類名】明細書
【補正対象項目名】００１３
【補正方法】変更
【補正の内容】
【００１３】
第４の発明は、第１から第３の発明において、前記遊技用装置は、遊技者が遊技に使用した遊技媒体の数を示す回収信号と遊技者が遊技を通じて獲得した遊技媒体の数を示す賞球信号とを、前記遊技情報として出力するよう構成されてなり、前記判定手段は、前記遊技用装置から出力される回収信号、賞球信号及び特別遊技状態発生信号に基づいて特別遊技状態中の差球数を計数し、当該差球数に基づいて特別遊技状態の種類を判定することを特徴とする。
【手続補正６】
【補正対象書類名】明細書
【補正対象項目名】００１４
【補正方法】変更
【補正の内容】
【００１４】
第５の発明は、第１から第３の発明において、前記遊技用装置は、前記特別遊技状態の種類を判定可能なようにパルス信号からなる前記特別遊技状態発生信号を、前記遊技情報として出力するよう構成されてなり、前記判定手段は、前記遊技用装置から出力される特別遊技状態発生信号に基づいて、特別遊技状態の種類を判定することを特徴とする。
【手続補正７】
【補正対象書類名】明細書
【補正対象項目名】００１５
【補正方法】変更
【補正の内容】
【００１５】
第６の発明は、第５の発明において、前記遊技用装置は、前記特別遊技状態の発生期間だけ前記特別遊技状態発生信号を前記情報伝達装置へ出力するよう構成されてなり、前記判定手段は、前記遊技用装置から出力される特別遊技状態発生信号に基づいて特別遊技状態の発生期間を計時するとともに、当該計時の結果に基づいて特別遊技状態の種類を判定することを特徴とする。
【手続補正８】
【補正対象書類名】明細書
【補正対象項目名】００１６
【補正方法】変更
【補正の内容】
【００１６】
第７の発明は、所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、前記遊技用装置から出力される遊技情報を収集して集計し、該集計した遊技情報を前記遊技用装置で遊技する遊技者に対する参考情報として表示出力する情報開示用設備と、を備えた遊技管理システムにおいて、前記遊技用装置から出力される遊技情報を収集して、当該収集した遊技情報に基づく情報を前記情報管理用設備及び前記情報開示用設備へ送信する情報伝達装置を備え、前記遊技用装置は、遊技者が獲得する特典の大きさが異なる複数の段階に分類された特別遊技状態を発生可能であるとともに、当該特別遊技状態が発生したことを示す特別遊技状態発生信号を前記遊技情報として前記情報伝達装置に出力するよう構成され、前記情報開示用設備は、前記遊技用装置で発生した複数の段階に分類された特別遊技状態の発生回数を前記参考情報として表示出力し、前記情報伝達装置は、前記情報管理用設備に情報を出力する第１出力手段と、前記情報開示用設備に情報を出力する第２出力手段と、前記遊技用装置から前記特別遊技状態発生信号を受信したことに基づいて、当該遊技用装置の特別遊技状態の発生回数を１回分更新させる情報を、前記第１出力手段によって出力する情報中継手段と、前記遊技用装置から前記特別遊技状態発生信号を受信したことに基づいて、当該遊技装置で発生した特別遊技状態がいずれの段階に属する特別遊技状態であるかを判定する判定手段と、前記判定手段による判定結果に基づいて、前記情報開示用設備において表示出力される前記遊技用装置の特別遊技状態の発生回数を更新させる情報を、前記第２出力手段によって出力する情報変換手段と、を備え、前記情報変換手段は、前記判定手段によって前記特別遊技状態が属すると判定された段階の特別遊技状態の発生回数を１回分更新させるとともに、前記特別遊技状態が属すると判定された段階以外の段階に対応する特別遊技状態の発生回数を０回分更新させる情報を出力することを特徴とする。
【手続補正９】
【補正対象書類名】明細書
【補正対象項目名】００１７
【補正方法】変更
【補正の内容】
【００１７】
第８の発明は、所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、前記遊技用装置から出力される遊技情報を収集して集計し、該集計した遊技情報を前記遊技用装置で遊技する遊技者に対する参考情報として表示出力する情報開示用設備と、を備えた遊技管理システムにおいて、前記遊技用装置から出力される遊技情報を収集して、当該収集した遊技情報に基づく情報を前記情報管理用設備及び前記情報開示用設備へ送信する情報伝達装置を備え、前記遊技用装置は、前記補助遊技が１回実行されたことを示す補助遊技実行信号を前記遊技情報として前記情報伝達装置に出力し、前記情報開示用設備は、前記遊技用装置で実行された補助遊技の実行回数を前記参考情報として表示出力し、前記情報伝達装置は、前記情報管理用設備に情報を出力する第１出力手段と、前記情報開示用設備に情報を出力する第２出力手段と、前記遊技用装置から前記補助遊技実行信号を受け入れると、当該遊技用装置の補助遊技の実行回数を１回分更新させる情報を、前記第１出力手段によって出力する情報中継手段と、前記補助遊技実行信号と遊技者が認識する補助遊技の実行回数との対応関係を記憶する対応関係記憶手段と、前記遊技用装置から前記補助遊技実行信号を受け入れると、前記対応関係に基づいて前記情報開示用設備において表示出力される補助遊技の実行回数を遊技者が認識する補助遊技の実行回数分更新させる情報を、前記第２出力手段によって出力する情報変換手段と、を備えることを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
第１の発明によれば、所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、前記遊技用装置から出力される遊技情報を収集して集計し、該集計した遊技情報を前記遊技用装置で遊技する遊技者に対する参考情報として表示出力する情報開示用設備と、を備えた遊技管理システムにおいて、前記遊技用装置から出力される遊技情報を収集して、当該収集した遊技情報に基づく情報を前記情報管理用設備及び前記情報開示用設備へ送信する情報伝達装置を備え、前記遊技用装置は、遊技者に付与される特典が大きい特別遊技状態と当該特別遊技状態よりも遊技者に付与される特典が小さい特別遊技状態とを少なくとも発生可能であるとともに、当該特別遊技状態が発生したことを示す特別遊技状態発生信号を前記遊技情報として前記情報伝達装置に出力するよう構成され、前記情報開示用設備は、前記遊技用装置で発生した特別遊技状態の発生回数を前記参考情報として表示出力し、前記情報伝達装置は、前記情報管理用設備に情報を出力する第１出力手段と、前記情報開示用設備に情報を出力する第２出力手段と、前記遊技用装置から前記特別遊技状態発生信号を受信したことに基づいて、当該遊技用装置の特別遊技状態の発生回数を１回分更新させる情報を、前記第１出力手段によって出力する情報中継手段と、前記遊技用装置から前記特別遊技状態発生信号を受信したことに基づいて、当該遊技装置で発生した特別遊技状態が遊技者に付与される特典が大きい特別遊技状態か付与される特典が小さい特別遊技状態であるかを判定する判定手段と、前記判定手段による判定結果に基づいて、前記情報開示用設備において表示出力される前記遊技用装置の特別遊技状態の発生回数を更新させる情報を、前記第２出力手段によって出力する情報変換手段と、を備え、前記情報変換手段は、前記判定手段によって前記遊技用装置で発生した特別遊技状態が遊技者に付与される特典が大きい特別遊技状態であると判定された場合には、当該遊技用装置の特別遊技状態の発生回数を１回分更新させる情報を出力する一方、前記判定手段によって前記遊技用装置で発生した特別遊技状態が遊技者に付与される特典が小さい特別遊技状態であると判定された場合には、当該遊技用装置の特別遊技状態の発生回数を更新させる情報を出力しない、又は、当該遊技用装置の特別遊技状態の発生回数を０回分更新させる情報を出力することを特徴とするので、情報管理用設備では遊技機で発生した特別遊技状態に関する正確な情報を把握でき、情報開示用設備では遊技者が実感する事象に近い特別遊技状態の発生回数（付与される特典が小さく遊技者が認識し難い特別遊技状態を除いた発生回数）に変換して表示できる。また、情報開示用設備が複雑な判定手段を備える必要がないため、様々なメーカの情報開示用設備を用いて遊技管理システムを構成することができる。
【手続補正１５】
【補正対象書類名】明細書
【補正対象項目名】００２３
【補正方法】変更
【補正の内容】
【００２３】
第２の発明によれば、所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、前記遊技用装置から出力される遊技情報を収集して集計し、該集計した遊技情報を前記遊技用装置で遊技する遊技者に対する参考情報として表示出力する情報開示用設備と、を備えた遊技管理システムにおいて、前記遊技用装置は、遊技者に付与される特典が大きい特別遊技状態と当該特別遊技状態よりも遊技者に付与される特典が小さい特別遊技状態とを少なくとも発生可能であるとともに、当該特別遊技状態が発生したことを示す特別遊技状態発生信号を前記遊技情報として前記情報開示用設備に出力するよう構成され、前記情報開示用設備は、前記情報管理用設備に情報を出力する中継出力手段と、前記遊技用装置から出力される特別遊技状態発生信号を受信したことに基づいて、当該遊技用装置の特別遊技状態の発生回数を１回分更新させる情報を、前記中継出力手段によって出力する情報中継手段と、前記遊技用装置から前記特別遊技状態発生信号を受信したことに基づいて、当該遊技用装置で発生した特別遊技状態が遊技者に付与される特典が大きい特別遊技状態か付与される特典が小さい特別遊技状態であるかを判定する判定手段と、前記判定手段による判定結果に基づいて、前記参考情報として表示出力されている前記遊技用装置の特別遊技状態の発生回数を更新させる情報変換表示出力手段と、を備え、前記情報変換表示出力手段は、前記判定手段によって前記遊技用装置で発生した特別遊技状態が遊技者に付与される特典が大きい特別遊技状態であると判定された場合には、当該遊技用装置の特別遊技状態の発生回数を１回分更新させる一方、前記判定手段によって前記遊技用装置で発生した特別遊技状態が遊技者に付与される特典が小さい特別遊技状態であると判定された場合には、当該遊技用装置の特別遊技状態の発生回数を更新させないので、情報管理用設備では遊技機で発生した特別遊技状態に関する正確な情報を把握でき、情報開示用設備では遊技者が実感する事象に近い特別遊技状態の発生回数（付与される特典が小さく遊技者が認識し難い特別遊技状態を除いた発生回数）に変換して表示できる。
【手続補正１６】
【補正対象書類名】明細書
【補正対象項目名】００２４
【補正方法】変更
【補正の内容】
【００２４】
第３の発明によれば、所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、前記遊技用装置から出力される遊技情報を収集して集計し、該集計した遊技情報を前記遊技用装置で遊技する遊技者に対する参考情報として表示出力する情報開示用設備と、を備えた遊技管理システムにおいて、前記情報開示用設備から出力される情報を受信し、受信した情報に対応する情報を前記情報管理用設備へ伝達する情報伝達装置を備え、前記遊技用装置は、遊技者に付与される特典が大きい特別遊技状態と当該特別遊技状態よりも遊技者に付与される特典が小さい特別遊技状態とを少なくとも発生可能であるとともに、当該特別遊技状態が発生したことを示す特別遊技状態発生信号を前記遊技情報として前記情報伝達装置に出力するよう構成され、前記情報開示用設備は、前記情報伝達装置に情報を出力する中継出力手段と、前記遊技用装置から出力される特別遊技状態発生信号を受信したことに基づいて、当該遊技用装置の特別遊技状態の発生回数を１回分更新させる情報を、前記中継出力手段によって出力する情報中継手段と、前記遊技用装置から前記特別遊技状態発生信号を受信したことに基づいて、当該遊技装置で発生した特別遊技状態が遊技者に付与される特典が大きい特別遊技状態か付与される特典が小さい特別遊技状態であるかを判定する判定手段と、前記判定手段による判定結果に基づいて、前記参考情報として表示出力されている前記遊技用装置の特別遊技状態の発生回数を更新させる情報変換表示出力手段と、を備え、前記情報変換表示出力手段は、前記判定手段によって前記遊技用装置で発生した特別遊技状態が遊技者に付与される特典が大きい特別遊技状態であると判定された場合には、当該遊技用装置の特別遊技状態の発生回数を１回分更新させる一方、前記判定手段によって前記遊技用装置で発生した特別遊技状態が遊技者に付与される特典が小さい特別遊技状態であると判定された場合には、当該遊技用装置の特別遊技状態の発生回数を更新させないので、情報管理用設備では遊技機で発生した特別遊技状態に関する正確な情報を把握でき、情報開示用設備では遊技者が実感する事象に近い特別遊技状態の発生回数（付与される特典が小さく遊技者が認識し難い特別遊技状態を除いた発生回数）に変換して表示できる。
【手続補正１７】
【補正対象書類名】明細書
【補正対象項目名】００２５
【補正方法】変更
【補正の内容】
【００２５】
第４の発明によれば、前記遊技用装置は、遊技者が遊技に使用した遊技媒体の数を示す回収信号と遊技者が遊技を通じて獲得した遊技媒体の数を示す賞球信号とを、前記遊技情報として出力するよう構成されてなり、前記判定手段は、前記遊技用装置から出力される回収信号、賞球信号及び特別遊技状態発生信号に基づいて特別遊技状態中の差球数を計数し、当該差球数に基づいて特別遊技状態の種類を判定することによって、差球に基づいて特別遊技状態の種類（付与される特典が大きく遊技者が認識し易い特別遊技状態であるか付与される特典が小さく遊技者が認識し難い特別遊技状態であるか）を判定するため、遊技者が獲得した特典（出球）に基づく判定結果が得られ、遊技者の感覚に近い判定をすることができる。
【手続補正１８】
【補正対象書類名】明細書
【補正対象項目名】００２６
【補正方法】変更
【補正の内容】
【００２６】
第５の発明によれば、前記遊技用装置は、前記特別遊技状態の種類を判定可能なようにパルス信号からなる前記特別遊技状態発生信号を、前記遊技情報として出力するよう構成されてなり、前記判定手段は、前記遊技用装置から出力される特別遊技状態発生信号に基づいて、特別遊技状態の種類を判定することを特徴とするので、特別遊技状態発生信号から特別遊技状態の種類を判定することができる。
【手続補正１９】
【補正対象書類名】明細書
【補正対象項目名】００２７
【補正方法】変更
【補正の内容】
【００２７】
第６の発明によれば、前記遊技用装置は、前記特別遊技状態の発生期間だけ前記特別遊技状態発生信号を前記情報伝達装置へ出力するよう構成されてなり、前記判定手段は、前記遊技用装置から出力される特別遊技状態発生信号に基づいて特別遊技状態の発生期間を計時するとともに、当該計時の結果に基づいて特別遊技状態の種類を判定することによって、時間値に基づいて特別遊技状態の種類（付与される特典が大きく遊技者が認識し易い特別遊技状態であるか付与される特典が小さく遊技者が認識し難い特別遊技状態であるか）を判定するため、遊技者が特別遊技状態の発生を実感した時間に基づく判定結果が得られ、遊技者の感覚に近い判定をすることができる。
【手続補正２０】
【補正対象書類名】明細書
【補正対象項目名】００２８
【補正方法】変更
【補正の内容】
【００２８】
第７の発明によれば、所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、前記遊技用装置から出力される遊技情報を収集して集計し、該集計した遊技情報を前記遊技用装置で遊技する遊技者に対する参考情報として表示出力する情報開示用設備と、を備えた遊技管理システムにおいて、前記遊技用装置から出力される遊技情報を収集して、当該収集した遊技情報に基づく情報を前記情報管理用設備及び前記情報開示用設備へ送信する情報伝達装置を備え、前記遊技用装置は、遊技者が獲得する特典の大きさが異なる複数の段階に分類された特別遊技状態を発生可能であるとともに、当該特別遊技状態が発生したことを示す特別遊技状態発生信号を前記遊技情報として前記情報伝達装置に出力するよう構成され、前記情報開示用設備は、前記遊技用装置で発生した複数の段階に分類された特別遊技状態の発生回数を前記参考情報として表示出力し、前記情報伝達装置は、前記情報管理用設備に情報を出力する第１出力手段と、前記情報開示用設備に情報を出力する第２出力手段と、前記遊技用装置から前記特別遊技状態発生信号を受信したことに基づいて、当該遊技用装置の特別遊技状態の発生回数を１回分更新させる情報を、前記第１出力手段によって出力する情報中継手段と、前記遊技用装置から前記特別遊技状態発生信号を受信したことに基づいて、当該遊技装置で発生した特別遊技状態がいずれの段階に属する特別遊技状態であるかを判定する判定手段と、前記判定手段による判定結果に基づいて、前記情報開示用設備において表示出力される前記遊技用装置の特別遊技状態の発生回数を更新させる情報を、前記第２出力手段によって出力する情報変換手段と、を備え、前記情報変換手段は、前記判定手段によって前記特別遊技状態が属すると判定された段階の特別遊技状態の発生回数を１回分更新させるとともに、前記特別遊技状態が属すると判定された段階以外の段階に対応する特別遊技状態の発生回数を０回分更新させる情報を出力するので、情報管理用設備では遊技機で発生した特別遊技状態に関する正確な情報を把握でき、情報開示用設備では特別遊技状態の価値の大きさを、遊技者が認識できる態様で表示できる。
【手続補正２１】
【補正対象書類名】明細書
【補正対象項目名】００２９
【補正方法】変更
【補正の内容】
【００２９】
第８の発明によれば、所定の始動条件の成立に基づいて補助遊技を実行し、該補助遊技の結果が特別な結果となる場合には遊技者に特典を付与する特別遊技状態を発生する遊技用装置から出力される遊技情報を収集して、当該収集した遊技情報に基づいて前記遊技用装置を管理するための情報を集計する情報管理用設備と、前記遊技用装置から出力される遊技情報を収集して集計し、該集計した遊技情報を前記遊技用装置で遊技する遊技者に対する参考情報として表示出力する情報開示用設備と、を備えた遊技管理システムにおいて、前記遊技用装置から出力される遊技情報を収集して、当該収集した遊技情報に基づく情報を前記情報管理用設備及び前記情報開示用設備へ送信する情報伝達装置を備え、前記遊技用装置は、前記補助遊技が１回実行されたことを示す補助遊技実行信号を前記遊技情報として前記情報伝達装置に出力し、前記情報開示用設備は、前記遊技用装置で実行された補助遊技の実行回数を前記参考情報として表示出力し、前記情報伝達装置は、前記情報管理用設備に情報を出力する第１出力手段と、前記情報開示用設備に情報を出力する第２出力手段と、前記遊技用装置から前記補助遊技実行信号を受け入れると、当該遊技用装置の補助遊技の実行回数を１回分更新させる情報を、前記第１出力手段によって出力する情報中継手段と、前記補助遊技実行信号と遊技者が認識する補助遊技の実行回数との対応関係を記憶する対応関係記憶手段と、前記遊技用装置から前記補助遊技実行信号を受け入れると、前記対応関係に基づいて前記情報開示用設備において表示出力される補助遊技の実行回数を遊技者が認識する補助遊技の実行回数分更新させる情報を、前記第２出力手段によって出力する情報変換手段と、を備えることによって、情報管理用設備では遊技機で実行された補助遊技の実行回数に関する正確な情報を把握でき、情報開示用設備では遊技者が実感する事象に近い補助遊技の実行回数を表示できる。また、情報開示用設備が複雑な判定手段を備える必要がないため、様々なメーカの情報開示用設備を用いて遊技管理システムを構成することができる。
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】０１３０
【補正方法】変更
【補正の内容】
【０１３０】
また、遊技場内部管理装置１から情報開示装置５に、遊技ポイント（遊技を通じて遊技者が獲得する特典ポイント）の加算データや遊技者の個人情報の更新データが送信されると、カードリーダ／ライタ５０４は、当該データを会員カードに記憶されているデータに加算又は更新して書き込む。